(57)【要約】      （修正有）【課題】常時電力を供給できるＵＰＳ無停電電源装置付きの移動式コンピュータ台を提供する。【解決手段】外管１１と、前記外管１１の内部に旋回可能に取り付けられた内管１２とから構成され、前記内管１２の上方部には、ＵＰＳ無停電電源装置及びコンピュータ・キーボード１５３と協働して作動するテーブルパネル１５及びワイヤレス・データ受信モニタ１６２が配置され、前記外管の底部には台の昇降を行なう昇降装置が配置されており、昇降装置は、昇降用ボタンにより制御される。昇降装置は、駆動モータを含み、該モータには螺旋ネジ付き出力軸が配設され、操作管のネジ付き孔にネジ係合するネジ付き軸の駆動歯車と噛み合うようになっている。操作管上部には基部パネルが取り付けられており、この基部パネルを介して操作管が内管に固着されるようになっている。【選択図】図２
0003122237.tif 000002
【実用新案登録請求の範囲】
【請求項１】
外管と、前記外管の内部に旋回可能に取り付けられた内管とから構成され、前記内管の上方部には、ＵＰＳ無停電電源装置及びコンピュータ・キーボードと協働して作動するテーブルパネル及びワイヤレス・データ受信モニタがそれぞれ配置されていて、前記モニタは間断なく清浄に機能し無線でもデータを受信でき、更に、キャスタ付きの支持脚部が外管の下方部に対称に配置されていることで、移動式コンピュータ台が使用場所で自由に移動できるようになっている、ＵＰＳ無停電電源装置付き移動式コンピュータ台構造であって、
前記テーブルパネルにはその一側表面に、台の昇降を行なう昇降装置の操作を制御するための上昇用ボタンと下降用ボタンとが配置されており、前記昇降装置は、前記外管の底端部の内部に収容固定されていて、螺旋ネジ付き出力軸の付いた駆動モータと協働するようになり、軸受と、周縁面に螺線形歯の付いた駆動歯車とを備えたネジ付き軸を前記螺旋ネジ付き出力軸に噛み合わせると共に、さらに、前記螺旋ネジ付き出力軸、軸受、駆動歯車は、外側カバーの内側に収容されており、前記ネジ付き軸がこの外側カバーの上部から外部へ突出しており、底部にネジ付き孔が限定されている操作管が前記ネジ付き軸とネジ係合するように適用され、前記操作管の内径はネジ付き軸よりも大きくて、外管ネジ付き軸の上部には前記ネジ付き孔よりも大きな係止部が配置されていて、前記操作管はその上端部に基部パネルが取り付けられて前記外管の底端部に固着された構成であり、これにより、操作時には、上昇用ボタンおよび下降用ボタンを単に押すだけで、駆動モータが作動して螺旋ネジ付き出力軸が回転し、それと同時に駆動歯車とネジ付き軸とをそれぞれ相対向する方向へ付勢することで、ネジ付き軸の回転により付勢された操作管がネジ上げられたりネジ下げられたりすることで直線的な上昇運動或いは下降運動を行ない、基部パネル、内管、テーブル・パネル、及びモニタが同時に、所望位置へ到達するまで外管に沿って上下動されて、所望位置へきた時に、上昇用ボタンあるいは下降用ボタンを再度押すことでその作動が停止され、駆動モータ、ネジ付き軸、内管も直ちに動きを停止するようになるので、テーブルパネルは正確に調節位置に位置付けられるように制御されることができ、移動式コンピュータ台を使用するのにも調節するのにも便利で経済的な設計を提供することを特徴とするＵＰＳ無停電電源装置付き移動式コンピュータ台構造。
【請求項２】
前記操作管は、その上方端部の相対向する位置に対象に開けられた組立用孔を含んでいることを特徴とする請求項１記載のＵＰＳ無停電電源装置付き移動式コンピュータ台構造。
【請求項３】
前記基部パネルには旋回管が配設されており、該旋回管に前記操作管が案内され該管と係止されるようになることを特徴とする請求項１記載のＵＰＳ無停電電源装置付き移動式コンピュータ台構造。
【請求項４】
前記旋回管はその上方端部に相対向した位置に組立用孔が対称に切欠かれて形成されていることを特徴とする請求項１記載のＵＰＳ無停電電源装置付き移動式コンピュータ台構造。
【請求項５】
前記昇降装置には、外管に係止されている支持フレームが配設されており、該支持フレームの上側部にはプラットフォームが配設され、前記プラットフォームには、前記駆動モータと前記外側カバーとを位置付けるために、その両側に支持プレートと保持プレートとが配置されており、更に前記プラットフォームは外管の断面と同一形状をしていて、該プラットフォームの一側には、矩形の通路が形成されていることを特徴とする請求項１記載のＵＰＳ無停電電源装置付き移動式コンピュータ台構造
【請求項６】
前記基部パネルには、その中心に矩形の通路が配設されていることを特徴とする請求項１記載のＵＰＳ無停電電源装置付き移動式コンピュータ台構造
【請求項７】
前記外側カバーは駆動モータの一側に固着され、２つの対応するハウジング部材から構成され、各々のハウジング部材の底端部には固定用プレートが伸長しており、その内部にはネジ付き軸の軸受及び駆動歯車を収容するための制限用凹部が配設されており、更に、前記各々のハウジングの制限凹部の上表面には貫通孔が形成されているので、前記ネジ付き軸がそこから突出して外側カバーから伸び出ているようになっていることを特徴とする請求項１記載のＵＰＳ無停電電源装置付き移動式コンピュータ台構造。
【請求項８】
前記外側カバーの上側には、スリーブ・シリンダが固着されていて、その内側に前記操作管を包み込んで隠して収容するように共に、前記スリーブ・シリンダの上端部には旋回用孔によって限定されるシーリング・キャップが配設されていて、前記操作管がそこを通って伸長しているようになることを特徴とする請求項１記載のＵＰＳ無停電電源装置付き移動式コンピュータ台構造。
【請求項９】
前記モニタを設置するために、角度調節座の付いた延長ラックが、内管の上端部に突出して配設されていることを特徴とする請求項１記載のＵＰＳ無停電電源装置付き移動式コンピュータ台構造。
【請求項１０】
外管及び内管の両側面あるいは４側面に、垂直に伸長する連接端部および連接溝がそれぞれ対称に配設されており、各々の組の連接端部及び連接溝は、固定部材と、付勢部材と、両側部に複数個の回転ボールが取り付けられた連結部材とから構成された衝動案内部材と協働し、前記固定部材および付勢部材は、互いに対応して連結されるようにＵ字形に形成され、それぞれ外管の連接端部の上方部と内管の連接溝とにリベット固定されており、更に、前記連結部材は、前記固定部材と付勢部材との間に挟まれて配置され、該連結部材の両側に配置された回転ボールが前記固定部材および付勢部材の両側の側壁に対して正確に隣接して接触して、これにより潤滑効果をもたらすと共に、前記付勢部材の上端部を水平に折り曲げて位置決め係止部を形成して、該位置決め係止部が固定部材の上部に平坦に均等して接触するようにしたことを特徴とする請求項１記載のＵＰＳ無停電電源装置付き移動式コンピュータ台構造
【考案の詳細な説明】
【技術分野】
【０００１】
本考案は、ＵＰＳ無停電電源装置付き移動式コンピュータ台構造に関する。
【背景技術】
【０００２】
従来のＵＰＳ無停電電源装置付き移動式コンピュータ台構造は、空気圧シリンダーや弾性コードを使用して、モニタやテーブルパネルの上下移動を制御している。実際に使用する場合には、テーブルパネルに圧力を掛けて、内管を下方へ下げるようにするが、力を掛け過ぎると、内管の下がる速度がはやすぎてモニタやテーブルパネルを所望位置に正確に位置付けることができず、コンピュータ台を再度調節し直して、希望の高さにもって行くようにしなければならないので、使用するにも調節するにも非常に不便である。
【考案の開示】
【考案が解決しようとする課題】
【０００３】
本考案は、１組の昇降用ボタンを備えたＩＣコントロール・パネルと協働するのに昇降装置の駆動モータを使用し、単に昇降ボタンを押すだけで、操作管をネジ付きシャフトに沿って直線的に上下方向に回転移動するようにして内管の位置調節をし、基部パネル及びモニタを所望位置に位置付けるようにしたので、従来の移動式コンピュータ台で行なっていた油圧シリンダや弾性コードを繰返し操作して高さ調節するということをせずとも、コンピュータ台の高さ調節が正確に行なえるようにし、使用時に一層の利便性をもたらし良好な使い勝手をもたらすことのできるＵＰＳ無停電電源装置付き移動式コンピュータ台構造を提供することを第１の目的とする。
【０００４】
本考案の第２の目的は、中に内管が組み合わされている外管へ昇降装置が収容されていて、昇降装置及び基部パネルのプラットフォームに予め設定されている矩形の通路を介して内管及び外管が相互に連通しているので、駆動モータに連結されたワイヤや、ＩＣコントロール・パネルやモニタ、蓄電池等もそれに沿って案内され、且つ、内管及び外管の中に隠されているので、コンピュータ台がワイヤ等に邪魔されずに自由に移動できるようになると共に、見た目もすっきりとした外観をもたらすことのできるＵＰＳ無停電電源装置付き移動式コンピュータ台構造を提供することである。
【課題を解決するための手段】
【０００５】
この考案のＵＰＳ無停電電源装置付き移動式コンピュータ台構造にかかる請求項１の考案は、外管と、前記外管の内部に旋回可能に取り付けられた内管とから構成され、前記内管の上方部には、ＵＰＳ無停電電源装置及びコンピュータ・キーボードと協働して作動するテーブルパネル及びワイヤレス・データ受信モニタがそれぞれ配置されていて、前記モニタは間断なく清浄に機能し無線でもデータを受信でき、更に、キャスター付きの支持脚部が外管の下方部に対称に配置されていることで、移動式コンピュータ台が使用場所で自由に移動できるようになっている、ＵＰＳ無停電電源装置付き移動式コンピュータ台構造であって、前記テーブルパネルにはその一側表面に、台の昇降を行なう昇降装置の操作を制御するための上昇用ボタンと下降用ボタンとが配置されており、前記昇降装置は、前記外管の底端部の内部に収容固定されていて、螺旋ネジ付き出力軸の付いた駆動モータと協働するようになり、軸受と、周縁面に螺線形歯の付いた駆動歯車とを備えたネジ付き軸を前記螺旋ネジ付き出力軸に噛み合わせると共に、さらに、前記螺旋ネジ付き出力軸、軸受、駆動歯車は、外側カバーの内側に収容されており、前記ネジ付き軸がこの外側カバーの上部から外部へ突出しており、底部にネジ付き孔が限定されている操作管が前記ネジ付き軸とネジ係合するように適用され、前記操作管の内径はネジ付き軸よりも大きくて、外管ネジ付き軸の上部には前記ネジ付き孔よりも大きな係止部が配置されていて、前記操作管はその上端部に基部パネルが取り付けられて前記外管の底端部に固着された構成であり、これにより、操作時には、上昇用ボタンおよび下降用ボタンを単に押すだけで、駆動モータが作動して螺旋ネジ付き出力軸が回転し、それと同時に駆動歯車とネジ付き軸とをそれぞれ相対向する方向へ付勢することで、ネジ付き軸の回転により付勢された操作管がネジ上げられたりネジ下げられたりすることで直線的な上昇運動或いは下降運動を行ない、基部パネル、内管、テーブル・パネル、及びモニタが同時に、所望位置へ到達するまで外管に沿って上下動されて、所望位置へきた時に、上昇用ボタンあるいは下降用ボタンを再度押すことでその作動が停止され、駆動モータ、ネジ付き軸、内管も直ちに動きを停止するようになるので、テーブルパネルは正確に調節位置に位置付けられるように制御されることができ、移動式コンピュータ台を使用するのにも調節するのにも便利で経済的な設計を提供することを特徴とするものである。
【考案の効果】
【０００６】
本考案のＵＰＳ無停電電源装置付き移動式コンピュータ台構造は、昇降用ボタンを備えたＩＣコントロール・パネルと協働するのに昇降装置の駆動モータを利用することで、昇降ボタンを単に押すだけで、操作管をシャフトに沿って直線的に上下方向に回転移動するようにして内管の位置調節をし、基部パネル及びモニタを所望位置に位置付けるという構成により、従来の移動式コンピュータ台で行なっていたような、コンピュータ台を所望の高さ位置へ設定できるまでに何回も繰返し油圧シリンダや弾性コードを上下移動して操作せずとも、コンピュータ台の高さ調節が簡単に正確に迅速に行なえるようにし、使用時に一層の利便性をもたらし良好な使い勝手をもたらすことができる。
【０００７】
また、内管と外管をコンピュータ台のプラットフォームに配置して通路に沿って相互移動させるようにしたので、ワイヤ、ＩＣコントロール・パネル、蓄電池等もそれに沿って案内され、且つ、内管及び外管の中に隠されて収納されているので、ワイヤなどが引っかかったりして操作の邪魔になることがなく、スムーズにコンピュータ台を移動することができると共に、外から見た場合に非常にこざっぱりしてすっきりとした外観を呈し、意匠的にも優れた効果を奏する。
【考案を実施するための最良の形態】
【０００８】
以下、添付図面を参照して本考案の好適な実施の形態を詳細に説明する。
図１は本考案の一実施例のＵＰＳ無停電電源装置付き移動式コンピュータ台構造の組立完成斜視図、図２は、図１の実施例の側面図で、図３は、本考案のＵＰＳ無停電電源装置付き移動式コンピュータ台構造の内管及び外管を備えた昇降装置の破断分解斜視図、図４は本考案の昇降装置の破断分解斜視図、図５は、本考案の昇降装置を回転作動させている状態の断面図、図６は、本考案の昇降装置を上昇作動させている状態の概略図、図７は、本考案のＵＰＳ無停電電源装置付き移動式コンピュータ台構造を上に上げた状態にした場合のテーブルパネル、モニタ、内管を示している概略図、図８は、本考案のＵＰＳ無停電電源装置付き移動式コンピュータ台構造の別の斜視図、図９は、本考案の、外管、内管、摺動案内ユニットを組立てた位置関係を示す破断概略図、図１０は、本考案の摺動案内ユニットの斜視図、図１１は、本考案の、外管、内管、摺動案内ユニットを組立てた位置関係を示すもう一つ別の概略図、図１２は、本考案の、外管、内管、摺動案内ユニットを組立てた位置関係を示す更にもう一つ別の第３の破断概略図、図１３は、本考案のＵＰＳ無停電電源装置付き移動式コンピュータ台構造が上に上げられる操作状態にある時の内管を示す概略図、そして、図１４は、図１１に類似した図で、もう一つ別の実施態様の断面図である。
【実施例】
【０００９】
図１は本考案の一実施例のＵＰＳ無停電電源装置付き移動式コンピュータ台構造の組立完成斜視図であり、図１から分かるように、本考案のＵＰＳ無停電電源装置付き移動式コンピュータ台構造は、移動式コンピュータ台１０からなり、この移動式コンピュータ台１０は、外管１１と、この外管１１の内部に旋回可能に据え付け配置された内管１２とを備え、両外管及び内管１１，１２は、それぞれ同様に、断面が楕円形になる中空の管状形状に作られており、外管１１の両側部にはそれぞれ結合端部１１１が垂直に伸びて配置され、内管１２の両側部に限定された結合溝１２１と係合するようになっている。
更に、移動式コンピュータ台１０には、キャスタ１３付き支持脚部１４が外管１１の結合端部１１１の下方部に対称に固定されており、また、テーブルパネル１５が内管１２の上方部に固定されている。
【００１０】
前記テーブルパネル１５の底部には引出し室１５１（図８に示す実施の態様では引き出し室は付いていない）が取り付けられており、この引出し室１５１の真下に、キーボード１５３を設置するための引出し式パネル１５２が配設されている。
図１及び図２に示すように、モニタ１６２の設置用に、角度調節座１６１を装備した延長ラック１６が内管１２の上端部に突出して設けられている。モニタ１６２はＵＰＳ無停電電源装置と協働することで、通常は、無線の情報受信／調査の機能を果たす（例えば、事歴）。
【００１１】
前記テーブルパネル１５の上面には、上昇用ボタン１５４、下降用ボタン１５５、電力供給信号ライト１５６が配設されており、図１に示すように、昇降装置の操作を制御するように、ＩＣコントロール・パネル１５７へ導電連結されている。
図３に示すように、昇降装置２０は、外管１１の内側底部で支持脚部１４に係止されて位置決め固定されているＵ字形支持フレーム２１を含む。支持フレーム２１の上方側には、外管１１の断面と同様になる形状のプラットフォーム２１１が取り付けられており、プラットフォーム２１１の一方側にはＬ字形支持プレート２１２が、そして他方側にはＵ字形保持プレート２１３が、それぞれ配置されている。そして、支持プレート２１２には駆動モータ２２の一側が取り付けられ、モータの他側は、図４に示されているように、１対の相対向するハウジング２３１，２３１が係合されてできている外側カバー２３に固定されている。更に外側カバー２３には螺旋ネジ付き出力軸２２１が片方のハウジング２３１を貫通して、前記外側カバー２３の内部に収容されるようになっている。
【００１２】
それぞれのハウジング２３１の底端部にはボルト挿入用穴のついた固定用プレート２３２が備っており、この固定用プレート２３２，２３２の間にＵ字形保持プレート２１３を挟み入れてボルトで両者を共に固定する。
前記ハウジング２３１，２３１には、その片側にそれぞれ対応する位置に制限凹部２３３が形成されており、軸受２４１および駆動歯車の付いたネジ付き軸２４が制限凹部２３３に配置され、そこに位置付けられるようになる。
駆動歯車２４２にはその周縁に螺旋状の歯が限定されており、前記螺旋ネジ付き出力軸２２１と正確に噛み合うようになっている。
【００１３】
保持プレート２１３，２１３双方を組み合せた時に制限凹部２３３，２３３の上部に貫通孔２３４が形成され、ネジ付き軸２４がこの貫通孔を通過して、外側カバー２３の外部に突出するようになっている。
【００１４】
操作管２５はネジ付き軸２４の径よりも内径が大きく、その底部にネジ付き孔２５１が形成されていて、ネジ付き軸２４とネジ係合するようになっており、軸２４の上部には、ネジ付き孔２５１よりも大きい係止部材２４３が配置されている。
【００１５】
外側カバー２３の上側に隣接して、スリーブ・シリンダー２６が位置付けられ、その内部に操作管２５を鞘に収めるように包み隠している。旋回用孔２６１によって限定されるシーリング・キャップ２６２がスリーブ・シリンダー２６の上端部に取り付けられており、その中を操作管２５が伸長移動する。操作管２５には、また、その上端部の相対向する側部にそれぞれ対称に組立用孔２５２，２５２が形成されている。
【００１６】
基部パネル２７は、旋回管２７１がそこから突出して配設されていて、内管１２の底端部に固着される。旋回管２７１にはその相対向する側それぞれに対称的に組立用孔２７２，２７２が形成されており、操作管２５が基部パネル２７の旋回管２７１に案内されて伸長移動してゆき、操作管２５の組立用孔２５２，２５２と組合されて、両部材が連結される。更に、プラットフォーム２１１の一側と基部パネル２７の中心には、それぞれ、矩形の通路２１１１，２７３が限定されており（図３を参照）、外管１１および内管１２と相互に連通している。
【００１７】
そして、駆動モータ２２，ＩＣコントロール・パネル１５７、モニタ１６２、蓄電池３０それぞれに連結されたワイヤＡが、矩形通路２１１１，２７３を通されて案内され、内管１２と外管１１の中に隠れて収容されるようになっている。
前記テーブルパネル１５およびモニタ１６２の高さ位置調節をするためには昇降装置２０の駆動モータ２２を利用して、上昇用ボタン１５４および下降用ボタン１５５が配備されたＩＣコントロール・パネル１５７と協働させる。
【００１８】
操作する場合には、まず、上昇用ボタン１５４（あるいは下降用ボタン１５５）を押してスイッチをいれると、駆動モータ２２が付勢され、その螺旋ネジ付き出力軸２２１を、反時計廻り（あるいは時計廻り）に回転させ、駆動歯車２４２およびネジ付き軸２４を同期に付勢し、所望に応じて、反時計廻りあるいは時計廻りで上昇あるいは下降の相対向する回転運動をさせる。
【００１９】
操作管２５の上端部は基部パネル２７の旋回管２７１としっかりと係止されていて、ネジ付き軸２４の時計廻り（あるいは反時計廻り）の回転により、ネジ付き孔２５１が付勢され、操作管が直線移動して上昇（あるいはねじり下がって下降）するようになる。したがって、基部パネル２７、内管１２、テーブルパネル１５、モニタ１６２が同時に付勢されて、（図７に示すように）外管１１に沿って上昇（あるいは下降）して、所望位置まで動かされる。
【００２０】
操作を止めるために上昇ボタン１５４（あるいは下降ボタン１５５）を押すと、駆動モータ２２、ネジ付き軸２４、内管１２は直ちにその動作を止めるので、これにより、モニタ１６２およびテーブルパネル１５が正確に制御されて調節位置に位置付けられるので、従来の移動式コンピュータ台で見られるような空気圧シリンダや弾性コードを繰り返し操作する手間が省かれる。故に、本考案の移動式コンピュータ台１０は使い勝手がよく、高さ調節するのが便利で経済性の高い設計をもたらす。
また更に、操作管２５が上に回転させられ続けられてネジ付き軸２４の上端部に到達すると、操作管２５は係止部材２４３に拘束されて、駆動モータ２２とネジ付き軸２４は作動を停止し、駆動モータ２２が空転しないように防止する。また、操作管２５が続けて上昇しないように防止して、ネジ付き軸２から外れる危険性を回避している。
【００２１】
一方、操作管２５がネジ下げられて、制限凹部２３３の上表面に到達すると、これによって、ネジ付き軸２４と駆動モータ２２が直ちにその作動を停止するようになる。故に、操作管２５と内管１２は、最上端部及び最低端部間で昇降するように制限されていて、自動的にこの間で位置決めされるようになっているので、最高の使い勝手を達成することができるようになる。
【００２２】
図９に示すように、連接端部１１１および連接溝１２１が外管１１および内管１２の両側面あるいは４側面（図１４参照）の周面に配置されている。連接溝１２１はダブ・テール溝形状（鳩の尻尾状の溝）に成形されていて、摺動案内ユニット４０が各連接溝１２１に据え付けられる。摺動案内ユニット４０（図１０及び１１参照）は、固定部材４１、付勢部材４２、そして、両側部に複数個の回転ボール４３１が配置されている連結部材４３とから構成されている。
【００２３】
固定部材４１及び付勢部材４２は断面がＵ字形になるプレートに形成されていて、図１２に示すように、互いに対応して連結され、且つ外管１１の連接端部１１１の上方部と、内管１２の連接溝１２１の予定位置とへそれぞれリベット固定されている。
連結部材４３は、固定部材４１と付勢部材４２との間に挟まれるように位置付けられていて、回転ボール４３１が連結部材４３の両側部に取り付けられているので、そこに潤滑効果を伴いながら固定部材４１と付勢部材４２との両側部に対して正確に隣接接触するようになる。
位置決め係止部４２１は付勢部材４２の上端部を水平に折り曲げられて平坦に配置された部分であり、これにより、固定部材４１の上端部と接触するようになる。
【００２４】
図１３に示すように、内管１２の高さを調節するように昇降装置２０が始動されると、それと同時に摺動案内ユニット４０の付勢部材４２が動き始める。一方、外管１１と内管１２の連接端部１１１と連接溝１２１は、摺動案内ユニット４０の固定部材４１と付勢部材４２とを制限するように位置決め作用をもたらす。内管１２により動かされた付勢部材４２は固定部材４１に沿って上昇し、それと同時に、連結部材４３の回転ボール４３１も案内及び摺動効果をもたらす。この構成により、内管１２は摺動案内ユニット４０によってその移動領域を正確に制限され、安定して滑らかに上下動して昇降し、高さ調整操作時にモータ１６２とテーブルパネル１５の振動を効果的に防止し、最高の使用状態を達成することができるようにする。
【００２５】
以上のように、本考案の好適な実施例を説明したが、本考案は、上記実施例に限定されることなく、実用新案登録請求の範囲を逸脱しない範囲における各種の変形，改良は本考案の請求範囲に包含されることは言うまでもない。
【図面の簡単な説明】
【００２６】
【図１】本考案の一実施例のＵＰＳ無停電電源装置付き移動式コンピュータ台構造の組立完成斜視図。
【図２】図１の実施例の側面図。
【図３】本考案のＵＰＳ無停電電源装置付き移動式コンピュータ台構造の内管及び外管を備えた昇降装置の破断斜視図
【図４】本考案の昇降装置の破断斜視図。
【図５】本考案の昇降装置を回転作動させている状態の断面図。
【図６】本考案の昇降装置を上昇作動させている状態の概略図
【図７】本考案のＵＰＳ無停電電源装置付き移動式コンピュータ台構造を上に上げた状態にした場合のテーブルパネル、モニタ、内管を示している概略図。
【図８】本考案のＵＰＳ無停電電源装置付き移動式コンピュータ台構造の別の斜視図。
【図９】本考案の、外管、内管、摺動案内ユニットを組立てた位置関係を示す破断概略図。
【図１０】本考案の摺動案内ユニットの斜視図。
【図１１】本考案の、外管、内管、摺動案内ユニットを組立てた位置関係を示すもう一つ別の概略図。
【図１２】本考案の、外管、内管、摺動案内ユニットを組立てた位置関係を示す更にもう一つ別の第３の破断概略図。
【図１３】本考案のＵＰＳ無停電電源装置付き移動式コンピュータ台構造が上に上げられる操作状態にある時の内管を示す概略図
【図１４】図１１に類似した図で、もう一つ別の実施態様の断面図である。
【符号の説明】
【００２７】
１０    移動式コンピュータ台
１１    外管
１２    内管
１４    支持脚部
１５    テーブルパネル
２０    昇降装置
２２    駆動モータ
２３    外側カバー
２４    ネジ付き軸
２５    操作管
２６    スリーブ・シリンダ
２７    基部パネル
１５１  引出し室
１５２  引出し式パネル
１５３  キーボード
１５４  上昇用ボタン
１５５  下降用ボタン
１６２  モニタ
２２１  螺旋ネジ付き出力軸
２４２  駆動歯車
【図１】
0003122237.tif 000003
【図２】
0003122237.tif 000004
【図３】
0003122237.tif 000005
【図４】
0003122237.tif 000006
【図５】
0003122237.tif 000007
【図６】
0003122237.tif 000008
【図７】
0003122237.tif 000009
【図８】
0003122237.tif 000010
【図９】
0003122237.tif 000011
【図１０】
0003122237.tif 000012
【図１１】
0003122237.tif 000013
【図１２】
0003122237.tif 000014
【図１３】
0003122237.tif 000015
【図１４】
0003122237.tif 000016